(57)【特許請求の範囲】
【請求項１】
凹部と、前記凹部より外方側であって且つ前記凹部の上面より高い位置に上面が設けられた縁部と、を有する硬質の基材層と、
前記凹部の上面に積層されて前記凹部内に収容されるクッション部と、浴室内側に設けられて前記縁部の上面に積層され、前記クッション部よりも鉛直方向の変形量が極めて小さい周縁部と、を有し、少なくとも表面が耐水性を有するクッション層と、
前記クッション層の前記周縁部の上に設けられた、壁パネルが載置される壁載せ部と、
前記壁パネルと前記クッション層の表面との間に形成される隙間をシーリング材で水密的にシールするシール部と、
を備えたことを特徴とする浴室用洗い場床。
【請求項２】
前記シール部は、前記凹部より外方側に配置される前記クッション層の前記周縁部に設けたことを特徴とする請求項１記載の浴室用洗い場床。
【請求項３】
前記クッション層の前記周縁部の厚みは、鉛直方向にほとんど弾性変形しない程度の厚みであることを特徴とする請求項１または２に記載の浴室用洗い場床。
【請求項４】
前記クッション層の前記周縁部に、１００Ｎ／ｃｍ２の荷重を加えた際の鉛直方向の変形量は、０．５ｍｍ〜２．０ｍｍであることを特徴とする請求項１〜３のいずれか１つに記載の浴室用洗い場床。
【請求項５】
前記基材層の一体成形により、前記凹部と前記縁部とが一体に形成されたことを特徴とする請求項１〜４のいずれか１つに記載の浴室用洗い場床。
【請求項６】
前記基材層はフラットな上面部を有し、
前記縁部は、前記上面部の上に設けられ前記上面部とは別体の硬質な縁部材であることを特徴とする請求項１〜４のいずれか１つに記載の浴室用洗い場床。
【発明の詳細な説明】
【技術分野】
【０００１】
本発明は、浴室用洗い場床に関する。
【背景技術】
【０００２】
従来より、浴室の洗い場床にクッション性を付与する構造が提案されている。例えば、特許文献１には、ＦＲＰ（Fiber Reinforced Plastic）からなる基材と、発泡層と、軟質材からなる表面層とを順に積層し一体化した浴室洗い場床が開示されている。また、特許文献２には、ゴム弾性体の内部に液収容空所を形成してなるクッション材を固定状態に設置した上、液収容空所に、水、湯等の液を収容して洗い場床を構築した構造が開示されている。
【特許文献１】特開２００１−２４５８１４号公報
【特許文献２】特開平９−１２２０２８号公報
【発明の開示】
【発明が解決しようとする課題】
【０００３】
一般に、クッション層は荷重を支えるのに十分な強度を確保しにくく、クッション層とは別に、荷重を支えるための強度を担保する基材が必要となる。その場合、基材とクッション層との間に水が浸入すると、クッション層が濡れてクッション性が悪化したり、カビが発生するおそれがあるため、クッション層の周縁部をシリコンや目地などのシーリング材で水密にシールすることが必要となる。
【０００４】
また、浴室壁パネルと洗い場床との境界部分にも、壁パネルの裏側に水が浸入しないように（浴室ユニット外への漏水を防ぐために）、シリコンや目地などのシーリング材で水密性を確保する必要がある。
【０００５】
このように、浴室の洗い場床上にクッション層を設けると、シール部が２箇所必要になる。シール部は、意匠性を損ねたり、シリコンが切れたり、目地が外れたりする問題が懸念されるため、極力、少なくすることが求められる。
【０００６】
本発明は上述の問題に鑑みてなされ、洗い場床に柔らかさを付与しつつ、且つ、シール部が１箇所で済む浴室用洗い場床を提供する。
【課題を解決するための手段】
【０００７】
本発明の一態様によれば、凹部と、前記凹部より外方側であって且つ前記凹部の上面より高い位置に上面が設けられた縁部と、を有する硬質の基材層と、前記凹部の上面に積層されて前記凹部内に収容されるクッション部と、浴室内側に設けられて前記縁部の上面に積層され、前記クッション部よりも鉛直方向の変形量が極めて小さい周縁部と、を有し、少なくとも表面が耐水性を有するクッション層と、前記クッション層の前記周縁部の上に設けられた、壁パネルが載置される壁載せ部と、前記壁パネルと前記クッション層の表面との間に形成される隙間をシーリング材で水密的にシールするシール部と、を備えたことを特徴とする浴室用洗い場床が提供される。
【発明の効果】
【０００８】
本発明によれば、洗い場床に柔らかさを付与しつつ、且つ、シール部が１箇所で済む浴室用洗い場床が提供される。
【発明を実施するための最良の形態】
【０００９】
浴室の洗い場床に柔らかさを付与するために、弾性変形可能なクッション性を有する材料で洗い場床を構成することが考えられるが、クッション性を有する例えば発泡体は耐水性、耐薬品性、耐衝撃性など、洗い場床として求められる基本性能に優れず、クッション性を有する材料だけで構成した洗い場床は商品として提供しにくい。また、クッション性を有する材料としては発泡体以外にもゴム材があるが、ゴム材はゴム臭がするため、そのような材料を気密性の高い浴室内に、洗い場床という比較的広い面積にわたって用いるのは好ましくない。
【００１０】
したがって、発泡体を洗い場床におけるクッション材として設けた場合、浴室内側に露出する表面には、耐水性や耐薬品性などのユニットバスの基本性能を満足する材料を用いる必要がある。
【００１１】
前述したような特性を満足するべく構成されたクッション層は荷重を支えるのに十分な強度を確保しにくく、クッション層とは別に、荷重を支えるための強度がクッション層よりも大きな基材層が必要となる。すなわち、洗い場床に柔らかさを付与しつつ、洗い場床として求められる最低限の基本性能を確保するためには少なくとも基材層とクッション層とを組み合わせた構造にすることが望ましい。
【００１２】
［第１の実施形態］
図１は、本発明の第１の実施形態に係る浴室用洗い場床の模式断面図である。
【００１３】
本実施形態に係る洗い場床は、硬質の基材層１と、基材層１の上に積層されたクッション性を有するクッション層３とを備える。
【００１４】
基材層１は、浴室外に湯水を漏出させない防水性、および壁パネル５０、天井パネル、風呂椅子、洗面器などの静荷重、使用者の動荷重を受けても撓んだり破損しない十分な強度を有し、例えば、ＦＲＰ（Fiber Reinforced Plastic）等の熱硬化性樹脂、あるいはポリプロピレン、ポリエチレン等の熱可塑性樹脂に補強を施したものから形成されている。
【００１５】
基材層１には縦断面視で凹状に形成される凹部２が設けられている。凹部２は基材層１の上面視における大部分の面積を占め、凹部２より外方側には凹部２の上面（底面）よりも一段高くされた縁部６が設けられている。
【００１６】
図２は基材層１の模式平面図を示し、基材層１の一部には排水ピット１５が開口形成されている。縁部６は、凹部２の全周（凹部２と排水ピット１５との間も含む）を囲むように設けられている。縁部６よりも外方側であって基材層１の最外縁部には、上方に立ち上がった水返し壁として機能する側壁部８が設けられている。このように、排水ピット１５は縁部６より外方側に形成されており、側壁部８は排水ピット１５の更に外方側に形成されている。
【００１７】
基材層１は硬質材（例えばＦＲＰ）を熱間成型することにより一体成形され、よって、凹部２、縁部６および側壁部８は一体に形成される。
【００１８】
クッション層３は、クッション性を有すると共に少なくとも浴室内側に露出する表面が耐水性を有する。例えば、型内発泡のモールド体は緻密なスキン層が得られ、その緻密なスキン層によって表面に耐水性を付与しつつ、クッション性も有する構造が可能である。
【００１９】
クッション層３における浴室内側の周縁部４ｂ以外の大部分（クッション部４ａ）は、基材層１の凹部２に収容され、その凹部２の上面（底面）に例えば両面テープ等の接着剤により接着固定される。凹部２に収容されたクッション部４ａは、弾性変形可能であり、例えばウレタン等の発泡体からなる。なお、クッション層３は弾性変形可能なゴム材であっても構わないが、ゴム臭のない発泡体の方が気密性の高い浴室の洗い場床として利用するには好ましい。
【００２０】
クッション層３の表面は、浴室内に露出し、使用者が触れたり、湯水にさらされる面となるため、耐水性、耐薬品性、耐衝撃性を有し、また下層のクッション部４ａの弾性変形に追従可能な可撓性を有する。
【００２１】
また、図３に示すように、クッション層３の表面には排水口または排水流し溝に連続して形成される溝３ａが形成されている。この溝３ａは、クッション層３の表面上を排水口に向けて流れる湯水の排水流路として機能する。この溝３ａは、排水口または排水流し溝まで水を途切れることなく連続的に存在させることが可能な排水流路となっている。この溝３ａによって、翌朝には、洗い場床面上に大きな水玉が残ることなく洗い場床面上を乾燥させることが可能となる。また、この溝３ａが洗い場床表面にあることで、洗い場床表面に凹凸が形成され、洗い場床面が滑りにくくなる効果も得られる。
【００２２】
クッション層３において浴室内側に設けられる周縁部４ｂは、クッション部４ａを介さずに基材層１の縁部６の上面に積層される。周縁部４ｂは、例えば接着剤で基材層１の縁部６の上面に接着固定される。
【００２３】
周縁部４ｂは、クッション部４ａよりも厚みが薄いため鉛直方向の変形量が極めて小さく、具体的には、周縁部４ｂの厚みを、鉛直方向にほとんど弾性変形しない程度の厚み（８ｃｍ以下、好ましくは５ｃｍ以下、より好ましくは２ｃｍ以下）とすることで、周縁部４ｂに１００Ｎ／ｃｍ２の荷重を加えた際の鉛直方向の変形量を０．５ｍｍ〜２．０ｍｍに抑えている。このように、クッション部４ａと周縁部４ｂとを有するクッション層３は、浴室内側に面する表面が１／５０程度の僅かな排水勾配を有する平面から形成されている。一方、裏面はクッション部４ａが周縁部４ｂより厚く形成されている。
【００２４】
基材層１とクッション層３の積層構造を得るにあたっては、それらを一体に熱間成型することにより相互に溶着固定させてもよいし（インサート成形）、基材層１の成型加工後に、その凹部２の上面（底面）に対してクッション層３を例えば両面テープ等の接着剤を用いて貼り付けてもよい。
【００２５】
本実施形態に係る洗い場床はクッション層３を備えるので、使用者がひざをついても痛くないやわらかな感触が得られる。また、床が足になじみ、濡れた足でも滑りにくくできる。さらに、例えば洗面器を床に落としても音が響かない。さらに、使用者が冷たさを感じにくい。
【００２６】
クッション層３において、基材層縁部６の上に積層された周縁部４ｂの少なくとも一部は、浴室の壁パネル５０が載置される壁載せ部として機能する。すなわち、壁パネル５０は、間にクッション層３の周縁部４ｂを挟んで基材層１の縁部６の上に設置される。
【００２７】
壁パネル５０と、クッション層３の周縁部４ｂとの境界部には、それら間に形成される隙間を、例えばシリコンや目地部材等のシーリング材１１で水密的にシールするシール部１０が設けられている。また、このシーリング材１１によって、クッション層３と基材層１との間に水が浸入することも防止される。すなわち、シーリング材１１は、壁パネル５０とクッション層３との間、およびクッション層３と基材層１との間を兼用して水密的にシールする。
【００２８】
すなわち、１箇所のシール部１０だけで、壁パネル５０の裏側に水が浸入しないようにして浴室ユニット外への漏水を防ぐことができ、且つ、基材層１とクッション層３との間への水の浸入を防いで、クッション層３が濡れてクッション性が悪化したり、カビが発生したりすることを防止できる。
【００２９】
シーリング材１１は、浴室全体の意匠性を損ねてしまうという問題と、シーリング材１１にカビなどの汚れが付着して意匠性を損ねてしまうという問題と、シリコンが切れたり、目地部材が外れたりするという問題があるため、極力、少なくすることが求められる。
【００３０】
本実施形態では、壁パネル５０がクッション層３の周縁部４ｂの上に載置される構造となっている。このため、クッション層３と基材層１との境界が浴室内に露出しない。なおかつ、前述したように、クッション層３と基材層１との境界に別途止水処理を施さなくても、壁パネル５０とクッション層３との間をシールするシーリング材１１でクッション層３と基材層１との間のシールも兼用するためシーリング材１１が１個で済み、クッション層３と基材層１との境界が浴室内に露出しないことも相俟って、見栄えを損ねず商品価値を高めることができる。
【００３１】
また、シーリング材１１は、凹部２より外方側の、クッション層３における周縁部４ｂに設けられている。周縁部４ｂは、クッション部４ａを介さずに硬質の基材層１の縁部６に接着固定され、且つ前述したようにクッション部４ａよりも鉛直方向の変形量が極めて小さいため、周縁部４ｂに荷重がかかっても厚さ方向（鉛直方向）に大きく撓むことがなく、また撓むことがないため、撓んだ（沈み込んだ）状態から上方に大きく復元することもない。すなわち、シール部１０の下の部分が上下に大きく変動することがない。したがって、その部分に設けられたシーリング材１１を引っ張ったり、浮き上がらせるような大きな応力が作用せず、シーリング材１１が切れたり、外れたりすることがない。この結果、シール性及び見栄えを損ねない。
【００３２】
また、壁パネル５０は周縁部４ｂの上に載置され、クッション部４ａには壁パネル５０の荷重が加わらないので、クッション部４ａの弾性変形（沈み込み）によって壁パネル５０が傾いたり、クッション部４ａの復元力が壁パネル５０に作用することがない。これにより、壁パネル５０及びその上の天井パネルを基材層１上に安定して支えることができ、壁パネル５０間あるいは壁パネル５０と他の部材間のジョイント部分に不所望の隙間が生じることを防いで浴室内の防水性を安定して確保できる。
【００３３】
［第２の実施形態］
図４は、本発明の第２の実施形態に係る浴室用洗い場床の模式断面図である。
【００３４】
本実施形態に係る洗い場床も、硬質の基材層２１と、基材層２１の上に積層されたクッション性を有するクッション層３とを備える。本実施形態では、クッション層３は前述した第１の実施形態と同様に構成されるが、基材層２１が第１の実施形態と異なる。
【００３５】
基材層２１は、浴室外に湯水を漏出させない防水性、および壁パネル５０、天井パネル、風呂椅子、洗面器などの静荷重、使用者の動荷重を受けても撓んだり破損しない十分な強度を有し、例えば、ＦＲＰ（Fiber Reinforced Plastic）等の熱硬化性樹脂、あるいはポリプロピレン、ポリエチレン等の熱可塑性樹脂に補強を施したものから形成されている。
【００３６】
基材層２１は、浅底パン状の基材部２２と、この基材部２２の上面部（底面部）２２ａ上に、基材部２２とは別体として設けられた縁部材２３とを有する。この縁部材２３は、上記第１の実施形態における縁部６に対応し、縁部材２３はクッション層３よりも硬質な材料からなる。また、基材部２２の最外縁部には、上方に立ち上がった水返し壁として機能する側壁部２４が設けられている。基材部２２の上面部２２ａの上面はフラットに形成され、その上面における側壁部２４近傍の縁部に、縁部材２３が接着固定または溶着固定されている。
【００３７】
縁部材２３の内側に凹部２５が設けられている。縁部材２３は凹部２５の側壁として機能し、縁部材２３の上面は、凹部２５の上面（底面）よりも一段高くされている。
【００３８】
クッション層３のクッション部４ａは、凹部２５に収容され、凹部２５の上面（底面）に例えば両面テープ等の接着剤により接着固定される。クッション層３の周縁部４ｂは、クッション部４ａを介さずに縁部材２３の上面に積層され接着固定される。
【００３９】
クッション層３の周縁部４ｂの少なくとも一部は、浴室の壁パネル５０が載置される壁載せ部として機能する。すなわち、壁パネル５０は、間にクッション層３の周縁部４ｂを挟んで基材層１の縁部材２３の上に設置される。
【００４０】
壁パネル５０と、クッション層３の周縁部４ｂとの境界部には、それら間に形成される隙間を、例えばシリコンや目地部材等のシーリング材１１で水密的にシールするシール部１０が設けられている。また、このシーリング材１１によって、クッション層３と基材層１との間に水が浸入することも防止される。すなわち、シーリング材１１は、壁パネル５０とクッション層３との間、およびクッション層３と基材層１との間を兼用して水密的にシールする。
【００４１】
また、壁パネル５０がクッション層３の周縁部４ｂの上に載置される構造となっている。このため、クッション層３と基材層１との境界が浴室内に露出しない。なおかつ、前述したように、クッション層３と基材層１との境界に別途止水処理を施さなくても、壁パネル５０とクッション層３との間をシールするシーリング材１１でクッション層３と基材層１との間のシールも兼用するためシーリング材１１が１個で済み、クッション層３と基材層１との境界が浴室内に露出しないことも相俟って、見栄えを損ねず商品価値を高めることができる。
【００４２】
また、シーリング材１１は、凹部２より外方側の、クッション層３における周縁部４ｂに設けられ、その周縁部４ｂは、クッション部４ａを介さずに硬質の縁部材２３に接着固定され、且つ前述したようにクッション部４ａよりも鉛直方向の変形量が極めて小さいため、周縁部４ｂに荷重がかかっても厚さ方向（鉛直方向）に大きく撓むことがなく、また撓むことがないため、撓んだ（沈み込んだ）状態から上方に大きく復元することもない。すなわち、シール部１０の下の部分が上下に大きく変動することがない。したがって、その部分に設けられたシーリング材１１を引っ張ったり、浮き上がらせるような大きな応力が作用せず、シーリング材１１が切れたり、外れたりすることがない。この結果、シール性及び見栄えを損ねない。
【００４３】
また、クッション部４ａには壁パネル５０の荷重が加わらないので、クッション部４ａの弾性変形（沈み込み）によって壁パネル５０が傾いたり、クッション部４ａの復元力が壁パネル５０に作用することがない。これにより、壁パネル５０及びその上の天井パネルを基材層１上に安定して支えることができ、壁パネル５０間あるいは壁パネル５０と他の部材間のジョイント部分に不所望の隙間が生じることを防いで浴室内の防水性を安定して確保できる。
【００４４】
また、本実施形態では、第１の実施形態の基材層１のように上面部（底面部）と一体に縁部に段を設けた構造ではなく、シンプルな浅底パン形状の基材部２２に対して別体で縁部材２３を設けた構造であるため、既存の浴室ユニットを解体して洗い場床を交換することなく、既存の洗い場床パンをそのまま流用でき、容易に本実施形態の構造を適用可能である。
【図面の簡単な説明】
【００４５】
【図１】本発明の第１の実施形態に係る浴室用洗い場床の模式断面図。
【図２】図１に示す洗い場床における基材層の模式平面図。
【図３】本発明の実施形態に係る洗い場床における表面材表面の拡大図。
【図４】本発明の第２の実施形態に係る浴室用洗い場床の模式断面図。
【符号の説明】
【００４６】
１…基材層、２…凹部、３…クッション層、４ａ…クッション部、４ｂ…クッション層の周縁部、６…基材層の縁部、１０…シール部、１１…シーリング材、２１…基材層、２３…縁部材、２５…凹部、３０…シール部、３１…シーリング材、５０…壁パネル
【図１】
0005099341.tif 000002
【図２】
0005099341.tif 000003
【図３】
0005099341.tif 000004
【図４】
0005099341.tif 000005